(57)【要約】【課題】オフィス、工場又は店舗等における設備の動作予定時刻等を確認する際に、ユーザの当該設備の動作予定時刻等の確認作業の負担を軽減する。【解決手段】複数の設備の動作状況を監視する設備監視装置と、当該設備監視装置からの要求に応じて当該複数の設備の動作を制御する設備制御管理装置とからなり、設備制御管理装置は、複数の設備の動作予定時刻を、個別の設備ごと及び当該個別の設備が属するグループごとに定められたスケジュールデータを保持し、設備監視装置からの取得要求に応じて、個別の設備ごと及び当該個別の設備が属するグループごとの動作予定時刻が定められた各スケジュールデータを取得して送信し、設備監視装置は、送信された各スケジュールデータに基づいて、当該各スケジュールデータを統合した統合スケジュールデータを生成し、当該生成された統合スケジュールデータをディスプレイに表示する様に制御する。【選択図】図５
2012027551.tif 000002
【特許請求の範囲】
【請求項１】
複数の設備の動作状況を監視する設備監視装置と、当該設備監視装置からの要求に応じて当該複数の設備の動作を管理する設備制御管理装置とが接続された設備制御システムであって、
前記設備制御管理装置は、
前記複数の設備の動作予定時刻を、個別の設備ごと及び当該個別の設備が属するグループごとに定められたスケジュールデータを保持するデータベースと、
前記設備監視装置からの前記個別の設備のスケジュールデータの取得要求に応じて、前記個別の設備ごと及び当該個別の設備が属するグループごとの動作予定時刻が定められた各スケジュールデータを前記データベースから取得し、当該取得された各スケジュールデータを前記設備監視装置に送信するスケジュール応答部と、を備え、
前記設備監視装置は、
前記複数の設備の動作状況を表示するディスプレイと、
前記スケジュール応答部により送信された各スケジュールデータに基づいて、前記個別の設備ごと及び当該個別の設備が属するグループごとの各スケジュールデータを統合した統合スケジュールデータを生成する統合スケジュール管理部と、
前記統合スケジュール管理部により生成された統合スケジュールデータを前記ディスプレイに表示する様に制御する表示制御部と、を備えることを特徴とする設備制御システム。
【請求項２】
請求項１に記載の設備制御システムであって、
前記表示制御部は、前記統合スケジュールデータを、前記個別の設備ごとのスケジュールデータと、当該個別の設備が属するグループのスケジュールデータとをそれぞれ識別可能に表示することを特徴とする設備制御システム。
【請求項３】
請求項１又は２に記載の設備制御システムであって、
前記表示制御部は、前記統合スケジュールデータを、所定のテーブル形式にて前記ディスプレイに表示することを特徴とする設備制御システム。
【請求項４】
請求項１又は２に記載の設備制御システムであって、
前記表示制御部は、前記統合スケジュールデータを、所定の図形形式にて前記ディスプレイに表示することを特徴とする設備制御システム。
【請求項５】
請求項１又は２に記載の設備制御システムであって、
前記表示制御部は、所定のテーブル形式の前記統合スケジュールデータと、所定の図形形式の前記統合スケジュールデータとを同時に表示することを特徴とする設備制御システム。
【請求項６】
請求項５に記載の設備制御システムであって、
前記表示制御部は、前記ディスプレイに表示された図形形式の統合スケジュールデータのいずれかの選択に応じて、当該選択された図形形式の統合スケジュールデータに対応するテーブル形式の統合スケジュールデータを、他のテーブル形式の統合スケジュールデータと識別可能に表示することを特徴とする設備制御システム。
【請求項７】
請求項５又は６に記載の設備制御システムであって、
前記スケジュール応答部は、
前記設備監視装置からの複数の設備のスケジュールデータの取得要求に応じて、当該複数の設備の個別の設備ごと及び当該個別の設備が属するグループごとの動作予定時刻が定められた各スケジュールデータを前記データベースから取得し、当該取得された各スケジュールデータを前記設備監視装置に送信し、
前記統合スケジュール管理部は、前記スケジュール応答部により送信された各スケジュールデータに基づいて、前記個別の設備ごと及び当該個別の設備が属するグループごとの各スケジュールデータを統合した統合スケジュールデータを生成することを特徴とする設備制御システム。
【請求項８】
請求項７に記載の設備制御システムであって、
前記設備監視装置は、
前記図形形式で表示された統合スケジュールデータに対する更新操作に応じて、当該更新後の統合スケジュールデータを構成する個々のスケジュールデータを前記設備制御管理装置に通知する様に制御する更新通知制御部と、を更に備えることを特徴とする設備制御システム。
【発明の詳細な説明】
【技術分野】
【０００１】
本発明は、照明又は空調等の設備を制御する設備制御システムに関する。
【背景技術】
【０００２】
オフィス、工場又は店舗等に設置されている設備として例えば照明器具（以下、照明器具を単に「照明」と略記する）の点灯及び消灯を制御する従来の設備制御システム５０について図１１を参照して説明する。図１１は、従来の設備制御システム５０の構成を示すシステム構成図である。設備制御システム５０は、設備監視装置５１と、ディスプレイ５２と、設備監視装置５１とネットワークＮＷを介して接続された設備制御管理装置５３と、スイッチ５４と、設備制御装置５５と、照明５６ａ〜５６ｎとにより構成されている。
【０００３】
設備監視装置５１は、照明５６ａ〜５６ｎの点灯又は消灯を含む動作状況、及び当該点灯又は消灯の動作予定時刻や動作場所等を確認及び監視する装置である。この動作状況は、ディスプレイ５２に表示される。設備制御管理装置５３は、設備制御装置５１により点灯又は消灯が制御される照明５６ａ〜５６ｎの動作状況を管理する装置である。また、設備制御管理装置５３は、ネットワークＮＷを介して接続された設備監視装置５５との間におけるゲートウェイとして機能する。照明５６ａ〜５６ｎの点灯又は消灯は、スイッチ５４の押下に基づいて実行される。また、照明５６ａ〜５６ｎの点灯又は消灯は、点灯又は消灯の動作予定時刻等が予め設定された点灯制御プログラム又は消灯制御プログラムに基づいて実行される。この様な点灯制御プログラム及び消灯制御プログラムは、設備制御管理装置５３内のデータベースに予め保持されている。なお、このデータベースは、設備制御装置５５内に設けられても良い。以下の説明において、各照明５６ａ〜５６ｎの点灯制御プログラム及び消灯制御プログラムを「スケジュールデータ」と記載する。
【０００４】
スケジュールデータがディスプレイ５２に表示された様子に関して、図１２を参照して説明する。図１２は、従来の設備制御システム５０においてディスプレイ５２に表示されたスケジュールデータの画面例を示す説明図である。同図（ａ）は、全ての照明５６ａ〜５６ｎのスケジュールデータの画面例を示す説明図である。同図（ｂ）は、全ての照明５６ａ〜５６ｎのうちいずれかの照明のスケジュールデータの画面例を示す説明図である。
【０００５】
図１２（ａ）において、スケジュールデータは、当該スケジュールデータがディスプレイ５２に表示されたときの日付と、各点灯制御プログラム又は消灯制御プログラムのプログラム番号と、スケジュールデータの名称と、種別と、アドレスと、動作内容と、当該動作の開始時刻と、当該動作の終了時刻とからなる。種別は、各照明５６ａ〜５６ｎのうち複数の照明が属す「グループ」と、当該各照明５６ａ〜５６ｎのうち個別の照明を示す「個別」とに区別される。アドレスは、各照明５６ａ〜５６ｎを便宜的に識別するために付与されたものである。なお、図１２において、各アドレスにはハイパーリンクＨＬが付与されており、当該ハイパーリンクＨＬに対して押下操作が行われた場合には図１２（ｂ）に示す様に、当該押下操作されたアドレスに対応する照明のスケジュールデータが個別に表示される。動作内容は、点灯を示すＯＮと、消灯を示すＯＦＦのうちいずれかが実行されるか、又は両方が実行されるかを示す。
【０００６】
図１２（ａ）において、アドレス「Ａ０１」はグループのアドレスである。図１２の説明において、このグループには、アドレス「００−１」及び「００−２」に対応する照明が属しているものとする。この場合、図１２（ａ）において、プログラム番号「００１」は、アドレス「Ａ０１」に属する照明（個別のアドレス「００−１」の照明と、個別のアドレス「００−２」の照明）が時刻「２１：００」に一斉に消灯（ＯＦＦ）するという内容を示す。また、例えばプログラム番号「０１１」は、アドレス「００−１」の照明が時刻「０８：３０」に点灯（ＯＮ）し、時刻「１７：３０」に消灯（ＯＦＦ）するという内容を示す。同様に、例えばプログラム番号「０１２」は、アドレス「００−１」の照明が時刻「１２：００」に消灯（ＯＦＦ）するという内容を示す。
【０００７】
また、上述した様な設備を動作させた時間帯及び当該動作時における電気エネルギーの消費量を管理するものとして、特許文献１が挙げられる。特許文献１には、配線等ごとのエネルギー等消費量を取得し、取得したデータを消費時刻と関連付けた情報と、配線等に対応して使用してよい時間帯か否かを峻別したスケジュールとに基づいて、無駄に消費されたと考えられる時間帯、消費量を出力するエネルギー等消費量算出システム及びエネルギー等消費量適切性情報出力装置が開示されている。この特許文献１のエネルギー等消費量算出システム及びエネルギー等消費量適切性情報出力装置によれば、実際になされたエネルギー等消費が、必要に基づく消費であったのか無駄な消費であったのかを客観的な指標に基づいて判断し、無駄をなくすための使用計画に対する的確な助言を行うことを可能にすることに資するためのエネルギー等の消費量を無駄な消費と必要に応じた消費に峻別して無駄に消費されたエネルギー等の消費量を出力するシステムを提供することができる。
【先行技術文献】
【特許文献】
【０００８】
【特許文献１】特開２００７−１７２４０６号公報
【発明の概要】
【発明が解決しようとする課題】
【０００９】
しかしながら、上述した特許文献１又は従来の設備制御システム５０においては、各設備の動作予定時刻又は実際の動作時刻と、当該各設備が属するグループの動作予定時刻又は実際の動作時刻とがそれぞれ別個に管理されていた。このため、図１２（ｂ）に示す様に、各設備のうち個別のアドレス「００−１」の照明に関する動作予定時刻を表示した場合には、当該アドレス「００−１」の照明に関する動作予定時刻は表示される。しかしながら、図１２（ｂ）に示す個別のアドレス「００−１」の照明の動作予定時刻に、当該個別のアドレス「００−１」の照明が属するグループ「Ａ０１」の照明の動作予定時刻は、表示されなかった。
【００１０】
このため、オフィス、工場又は店舗等を運営する守衛人等のユーザが、任意の設備の動作予定時刻を事前に確認したい場合に、従来の設備制御システム５０では、図１２（ａ）に示す様に全体のスケジュールデータから所望の設備の動作予定時刻を個々に確認する必要があった。更に、当該所望の設備と当該所望の設備が属するグループとの関係を確認した上で、当該グループの照明の動作予定時刻を確認する必要があった。従って、この様な手続を強いられる関係上、図１２（ｂ）に示す様に、当該所望の設備の動作予定時刻を確認することはできても、当該設備が属するグループの照明の動作予定時刻を事前に確認し忘れるという懸念が生じた。即ち、ユーザにとって確認作業等に相当の負担がかかり、手続上も煩雑であった。
【００１１】
本発明は、上述した従来の事情に鑑みてなされたものであって、オフィス、工場又は店舗等における設備の動作予定時刻等を確認する際に、当該個別の設備の動作予定時刻等及び当該個別の設備が属するグループの動作予定時刻等を統合的に提示し、ユーザの当該設備の動作予定時刻等の確認作業の負担を軽減する設備制御システムを提供することを目的とする。
【課題を解決するための手段】
【００１２】
上述した課題を解決するために、本発明の設備制御システムは、複数の設備の動作状況を監視する設備監視装置と、当該設備監視装置からの要求に応じて当該複数の設備の動作を管理する設備制御管理装置とが接続された設備制御システムであって、設備制御管理装置は、複数の設備の動作予定時刻を、個別の設備ごと及び当該個別の設備が属するグループごとに定められたスケジュールデータを保持するデータベースと、設備監視装置からの個別の設備のスケジュールデータの取得要求に応じて、個別の設備ごと及び当該個別の設備が属するグループごとの動作予定時刻が定められた各スケジュールデータを前記データベースから取得し、当該取得された各スケジュールデータを設備監視装置に送信するスケジュール応答部とを備え、設備監視装置は、複数の設備の動作状況を表示するディスプレイと、スケジュール応答部により送信された各スケジュールデータに基づいて、個別の設備ごと及び当該個別の設備が属するグループごとの各スケジュールデータを統合した統合スケジュールデータを生成する統合スケジュール管理部と、統合スケジュール管理部により生成された統合スケジュールデータをディスプレイに表示する様に制御する表示制御部とを備えることを特徴とする。
【００１３】
また、本発明は、上述した設備制御システムであって、表示制御部は、統合スケジュールデータを、個別の設備ごとのスケジュールデータと、当該個別の設備が属するグループのスケジュールデータとをそれぞれ識別可能に表示することを特徴とする。
【００１４】
また、本発明は、上述した設備制御システムであって、表示制御部は、統合スケジュールデータを、所定のテーブル形式にてディスプレイに表示することを特徴とする。
【００１５】
また、本発明は、上述した設備制御システムであって、表示制御部は、統合スケジュールデータを、所定の図形形式にてディスプレイに表示することを特徴とする。
【００１６】
また、本発明は、上述した設備制御システムであって、表示制御部は、所定のテーブル形式の統合スケジュールデータと、所定の図形形式の統合スケジュールデータとを同時に表示することを特徴とする。
【００１７】
また、本発明は、上述した設備制御システムであって、表示制御部は、ディスプレイに表示された図形形式の統合スケジュールデータのいずれかの選択に応じて、当該選択された図形形式の統合スケジュールデータに対応するテーブル形式の統合スケジュールデータを、他のテーブル形式の統合スケジュールデータと識別可能に表示することを特徴とする。
【００１８】
また、本発明は、上述した設備制御システムであって、スケジュール応答部は、設備監視装置からの複数の設備のスケジュールデータの取得要求に応じて、当該複数の設備の個別の設備ごと及び当該個別の設備が属するグループごとの動作予定時刻が定められた各スケジュールデータをデータベースから取得し、当該取得された各スケジュールデータを設備監視装置に送信し、統合スケジュール管理部は、スケジュール応答部により送信された各スケジュールデータに基づいて、個別の設備ごと及び当該個別の設備が属するグループごとの各スケジュールデータを統合した統合スケジュールデータを生成することを特徴とする。
【００１９】
また、本発明は、上述した設備制御システムであって、設備監視装置は、図形形式で表示された統合スケジュールデータに対する更新操作に応じて、当該更新後の統合スケジュールデータを構成する個々のスケジュールデータを設備制御管理装置に通知する様に制御する更新通知制御部と、を更に備えることを特徴とする。
【発明の効果】
【００２０】
本発明によれば、オフィス、工場又は店舗等における設備の動作予定時刻等を確認する際に、当該個別の設備の動作予定時刻等及び当該設備が属するグループの動作予定時刻等を統合的に提示し、ユーザの当該設備の動作予定時刻等の確認作業の負担を軽減することができる。
【図面の簡単な説明】
【００２１】
【図１】第１の実施形態の設備制御システムのシステム構成を示すブロック図
【図２】設備監視装置の内部構成を示すブロック図
【図３】データベースに保持されているデータの内容を示す説明図、（ａ）照明とアドレスとの関係を示す照明アドレスデータの説明図、（ｂ）アドレスとグループとの関係を示すアドレスグループデータの説明図
【図４】データベースに保持されているスケジュールデータの内容を示す説明図
【図５】第１の実施形態の設備制御システムを構成する設備監視装置と設備制御管理装置との間における動作を説明するシーケンス図
【図６】統合スケジュールデータの画面例、（ａ）テーブル形式で表示された統合スケジュールデータの画面例、（ｂ）図形形式で表示された統合スケジュールデータの画面例
【図７】テーブル形式で表示された統合スケジュールデータと図形形式で表示された統合スケジュールデータとが同時に表示された場合の統合スケジュールデータの画面例
【図８】テーブル形式で表示された統合スケジュールデータと図形形式で表示された統合スケジュールデータとが同時に表示された場合の全ての照明に対する統合スケジュールデータの画面例における任意の統合スケジュールデータの編集時の画面例
【図９】テーブル形式で表示された統合スケジュールデータと図形形式で表示された統合スケジュールデータとが同時に表示された場合の全ての照明に対する統合スケジュールデータの画面例における任意の統合スケジュールデータの編集後の画面例
【図１０】テーブル形式で表示された統合スケジュールデータと図形形式で表示された統合スケジュールデータとが同時に表示された場合の編集後の統合スケジュールデータから選択された所望の照明に対する統合スケジュールデータの画面例
【図１１】従来の設備制御システムの構成を示すシステム構成図
【図１２】従来のスケジュールデータの画面例を示す説明図である。（ａ）全ての照明のスケジュールデータの画面例を示す説明図、（ｂ）全ての照明のうちいずれかの照明のスケジュールデータの画面例を示す説明図
【発明を実施するための形態】
【００２２】
以下、本発明の実施形態について、図面を参照して説明する。また、以下の説明において、個々の照明の点灯又は消灯の動作予定時刻や動作場所等が予め設定された点灯制御プログラム又は消灯制御プログラムを「スケジュールデータ」と記載する。また、以下、本発明の設備制御システムの制御対象である設備を例えば照明であるとして説明する。
【００２３】
（第１の実施形態）
１．第１の実施形態の設備制御システムの構成に関する説明
第１の実施形態の設備制御システム１０の構成について図１を参照して説明する。図１は、第１の実施形態の設備制御システム１０のシステム構成を示すブロック図である。図１に示す様に、設備制御システム１０は、設備監視装置１と、ディスプレイ６と、設備監視装置１とネットワークＮＷを介して接続された設備制御管理装置１１と、スイッチ１４と、設備制御装置１５と、照明１６ａ〜１６ｎとにより構成されている。設備制御装置１５は、伝送ユニット１５ａと、ターミナルユニット１５ｂと、リレー部１５ｃとを備える。
【００２４】
設備監視装置１は、照明１６ａ〜１６ｎの点灯又は消灯を含む動作状況、及び当該点灯又は消灯の動作予定時刻や動作場所等を確認及び監視する装置である。この動作状況は、ディスプレイ６に表示される。また、設備監視装置１の具体的構成については、図２を参照して後述する。
【００２５】
設備制御管理装置１１は、設備制御装置１５により点灯又は消灯が制御される照明１６ａ〜１６ｎの動作状況を管理する装置である。また、設備制御管理装置１１は、ネットワークＮＷを介して接続された設備監視装置１との間におけるゲートウェイとしても機能する。照明１６ａ〜１６ｎの点灯又は消灯の動作は、スイッチ１４の押下に基づいて実行される。また、照明１６ａ〜１６ｎの点灯又は消灯は、点灯又は消灯の動作予定時刻等が予め設定されたスケジュールデータに基づいて実行される。また、設備制御管理装置１１は、本発明に関連する機能的構成として、データベース１１ａと、スケジュール応答部１１ｂとを少なくとも備える。
【００２６】
データベース１１ａに保持されているデータについて図３及び図４を参照して説明する。図３は、データベース１１ａに保持されているデータの内容を示す説明図である。同図（ａ）は、照明１６ａ〜１６ｎと当該照明１６ａ〜１６ｎを識別するためのアドレスとの関係を示す照明アドレスデータの説明図である。同図（ｂ）は、アドレスと当該アドレスの照明が属するグループとの関係を示すアドレスグループデータの説明図である。図４は、データベース１１ａに保持されているスケジュールデータＳＤの内容を示す説明図である。
【００２７】
図３（ａ）において、例えば、照明１６ａにはアドレス「００−１」が付与されている。照明１６ｂにはアドレス「００−２」が付与されている。同様に、照明１６ｇにはアドレス「０１−１」が付与されている。他の照明番号についても同様である。
【００２８】
また、図３（ｂ）において、例えば、アドレス「００−１」の照明１６ａはグループ「Ａ０１」に属する。アドレス「００−２」の照明１６ｂはグループ「Ａ０１」に属し、アドレス「００−１」の照明１６ａと同一のグループ「Ａ０１」に属する。同様に、アドレス「０１−１」の照明はグループ「Ａ０２」に属する。他のアドレスについても同様である。
【００２９】
更に、データベース１１ａには、図４に示す様に、複数の照明１６ａ〜１６ｎの動作予定時刻や動作場所等の情報が、個別の照明ごと及び当該個別の照明が属するグループごとに定められたスケジュールデータＳＤが保持されている。スケジュールデータＳＤは、当該スケジュールデータ番号と、照明のアドレスと、当該スケジュールデータの名称と、制御内容と、開始時刻と、終了時刻とが関連付けられたデータである。アドレスは、当該スケジュールデータにより実行される照明のアドレスである。制御内容は、点灯を示すＯＮと、消灯を示すＯＦＦのうちいずれかが実行されるか、又は両方が実行されるかを示す。例えば、スケジュールデータ番号「００１」によれば、アドレス「００−１」の照明が、時刻「８：３０」に点灯し、時刻「１７：３０」に消灯する。また、スケジュールデータ番号「０１０」によれば、アドレス「００−１」の照明、即ち、グループ「Ａ０１」に属する全ての照明が時刻「２１：００」に消灯する。他のスケジュール番号についても同様である。なお、グループ「Ａ０１」に属する全ての照明は、例えば、図３（ｂ）に示す様に、アドレス「００−１」の照明及び「００−２」の照明が該当する。なお、このデータベース１１ａは、設備制御装置１５の伝送ユニット１５ａに設けられても良い。
【００３０】
スケジュール応答部１１ｂは、設備監視装置１からの個別の照明におけるスケジュールデータの取得要求に応じて、当該個別の照明ごと及び当該個別の照明が属するグループごとの各スケジュールデータをデータベース１１ａから取得する。スケジュール応答部１１ｂは、当該取得された各スケジュールデータを設備監視装置１に送信する。
【００３１】
設備制御装置１５は、不図示の商用の交流電源により供給された駆動電力により、スイッチ１４により出力された制御信号又は上述したスケジュールデータに従って、各々の照明１６ａ〜１６ｎの点灯又は消灯を制御する。設備制御装置１５は、図１に示す様に、伝送ユニット１５ａと、ターミナルユニット１５ｂと、リレー部１５ｃとを備える。
【００３２】
伝送ユニット１５ａは、不図示の商用の交流電源により供給された電力を駆動源として動作し、スイッチ１４により出力された制御信号又は上述したスケジュールデータに従って照明を制御するために、ターミナルユニット１５ｂの動作に必要な駆動電力を当該ターミナルユニット１５ｂに供給する。また、伝送ユニット１５ａは、スイッチ１４により出力された制御信号を取得すると共に、当該取得された制御信号に応じて各々の照明１６ａ〜１６ｎの点灯又は消灯を制御するための信号をターミナルユニット１５ｂに出力する。
【００３３】
ターミナルユニット１５ｂは、伝送ユニット１５ａにより供給された電力を駆動源として動作し、伝送ユニット１５ａにより出力された信号を入力し、当該信号に応じてリレー部１５ｃの動作を制御する。
【００３４】
リレー部１５ｃは、不図示の交流電源から供給された電力に基づき、ターミナルユニット１５ｂにより出力された信号に応じて、各々のリレー部１５ｃの接点を開閉することにより、各照明１６ａ〜１６ｎの点灯又は消灯を制御する。
【００３５】
２．第１の実施形態の設備監視装置の構成に関する説明
図１に示した設備監視装置１の構成について図２を参照して説明する。図２は、第１の実施形態の設備監視装置１の内部構成を示すブロック図である。図２に示す様に、設備監視装置１は、操作部２と、制御部３と、通信部４と、記憶部５とを備える。なお、図１及び図２においては、設備監視装置１とディスプレイ６とは別個に設けられているが、当該設備監視装置１はディスプレイ６を含む様に構成されても良い。
【００３６】
操作部２は、設備監視装置１を用いるユーザの入力操作を検出すると共に、当該検出された入力操作に対応した入力操作信号を制御部３に出力する。操作部２は、例えば、キーボード又はマウス等により構成される。また、操作部２は、ディスプレイ６の上面に配置され、ユーザの指又はスタイラスペン等による入力操作を検出可能なタッチパネル等で構成されても良い。また、操作部２は、ユーザ所望の個別の照明のスケジュールデータを取得する旨の取得要求信号を制御部３のスケジュール要求部３ａに出力する。また、操作部２は、ディスプレイ６に表示された後述する統合スケジュールデータを編集して更新操作する際に、当該更新する旨の入力操作信号を制御部３の統合スケジュール管理部３ｂに出力する。
【００３７】
制御部３は、設備監視装置１に内蔵されるＣＰＵ（Central Processing Unit）、ＤＳＰ（Digital Signal Processor）、ＲＯＭ（Read On Memory）及びＲＡＭ（Random Access Memory）等で構成され、スケジュール要求部３ａと、統合スケジュール管理部３ｂと、表示画面生成部３ｃと、更新通知制御部３ｄと、表示制御部３ｅとを有する。
【００３８】
スケジュール要求部３ａは、操作部２により出力された個別の照明のスケジュールデータの取得要求信号を取得する。スケジュール要求部３ａは、当該取得された取得要求信号に基づいて、当該取得要求信号に対応する個別の照明ごとのスケジュールデータ及び当該個別の照明が属するグループのスケジュールデータを取得する旨の信号を通信部４に出力する。
【００３９】
統合スケジュール管理部３ｂは、スケジュール要求部３ａからの取得要求に応答して設備制御管理装置１１から通信部４に送信された各スケジュールデータを取得する。統合スケジュール管理部３ｂは、当該取得された各スケジュールデータに基づいて、当該各スケジュールデータを統合した統合スケジュールデータを生成する。ここで、統合スケジュールデータとは、ユーザ所望の個別のアドレスの照明のスケジュールデータと、当該個別のアドレスの照明が属するグループのスケジュールデータとを統合して１つのスケジュールデータとして形成したものである。なお、図４に示す様に、個別のアドレス「００−１」の照明のスケジュールデータのスケジュールデータ番号００１及び００２、並びに個別のアドレス「００−１」の照明が属するグループ「Ａ０１」のスケジュールデータのスケジュール番号０１０が番号設備制御管理装置１１により送信されたとする。この場合、統合スケジュール管理部３ｂは、これらの各スケジュールデータを１つに統合した統合スケジュールデータを生成する。この統合スケジュールデータをディスプレイ６に表示された場合の一例は、例えば図６に示される。図６に関する説明は後述する。統合スケジュール管理部３ｂは、当該生成された統合スケジュールデータを表示画面生成部３ｃに出力する。
【００４０】
また、統合スケジュール管理部３ｂは、統合スケジュールデータを更新する旨の入力操作信号を操作部２から取得した場合、当該統合スケジュールデータが更新された旨の情報及び当該更新後の統合スケジュールデータを構成するスケジュールデータを更新通知制御部３ｄに出力する。
【００４１】
表示画面生成部３ｃは、統合スケジュール管理部３ｂにより出力された統合スケジュールデータを取得する。表示画面生成部３ｃは、当該取得された統合スケジュールデータをディスプレイ６に表示するための表示画面を生成する。表示画面生成部３ｃは、当該生成された表示画面を表示制御部３ｅに出力する。
【００４２】
更新通知制御部３ｄは、操作部２から統合スケジュールデータを更新する旨の入力操作信号が統合スケジュール管理部３ｂに入力された場合、当該スケジュール管理部３ｂから当該統合スケジュールデータが更新された旨の情報及び当該更新後の統合スケジュールデータを構成するスケジュールデータを取得する。更新通知制御部３ｄは、当該取得された各情報に基づいて、ディスプレイ６に表示されている統合スケジュールデータが更新された旨の信号及び当該更新後の統合スケジュールデータを構成するスケジュールデータを通信部４に出力する。
【００４３】
表示制御部３ｅは、表示画面生成部３ｃにより出力された表示画面を取得する。表示制御部３ｅは、当該取得された表示画面をディスプレイ６に表示する様に制御する。表示制御部３ｅは、当該取得された統合スケジュールデータの表示画面をディスプレイ６に表示する際、当該統合スケジュールデータを、個別の照明ごとのスケジュールデータと、当該個別の照明が属するグループのスケジュールデータとをそれぞれ識別可能に表示する（図６（ａ）参照）。
また、表示制御部３ｅは、当該取得された統合スケジュールデータの表示画面をディスプレイ６に表示する際、所定のテーブル形式の統合スケジュールデータを表示しても良い（図６（ａ）参照）。
また、表示制御部３ｅは、当該取得された統合スケジュールデータの表示画面をディスプレイ６に表示する際、所定の図形形式の統合スケジュールデータを表示しても良い（図６（ｂ）参照）。
【００４４】
更に、表示制御部３ｅは、当該取得された統合スケジュールデータの表示画面をディスプレイ６に表示する際、所定のテーブル形式の統合スケジュールデータの表示画面と所定の図形形式の統合スケジュールデータの表示画面とを同時に表示しても良い（図７参照）。この場合に、表示制御部３ｅは、ディスプレイ６に表示された図形形式の統合スケジュールデータのいずれかが選択された場合に、当該選択された図形形式の統合スケジュールデータに対応するテーブル形式の統合スケジュールデータを、他のテーブル形式の統合スケジュールデータと識別可能に表示することが好ましい（図８参照）。これにより、表示制御部３ｅは、ユーザに対して直感的で分かりやすい統合スケジュールデータの表示を行うことができる。
【００４５】
通信部４は、ネットワークＮＷを介して設備制御管理装置１１と通信を行う。通信部４は、スケジュール要求部３ａにより出力された信号を取得する。通信部４は、当該取得された信号に基づいて、操作部２からの取得要求信号に対応する個別の照明ごとのスケジュールデータ及び当該個別の照明が属するグループのスケジュールデータを取得する旨の信号を、ネットワークＮＷを介して設備制御管理装置１１に送信する。
また、通信部４は、操作部２からの取得要求信号に対応する個別の照明ごとのスケジュールデータ及び当該個別の照明が属するグループのスケジュールデータを、設備制御管理装置１１からネットワークＮＷを介して受信する。通信部４は、当該受信した各スケジュールデータを統合スケジュール管理部３ｂに出力する。
また、通信部４は、更新通知制御部３ｄにより出力された信号及び更新後のスケジュールデータを取得する。通信部４は、当該取得された情報及び更新後のスケジュールデータに基づいて、ディスプレイ６に表示されている統合スケジュールデータが更新された旨の信号及び当該更新後の統合スケジュールデータを構成する個別のスケジュールデータを、ネットワークＮＷを介して設備制御管理装置１１に送信する。
【００４６】
記憶部５には、制御部３により実行される各種のプログラム、及び当該プログラムで利用される種々のデータが記憶される。例えば、記憶部５には、制御部３（図２参照）の動作が予め規定されたプログラムをそれぞれ記憶している。制御部３の各部（図２参照）は、ハードウェア又はソフトウェアで構成することが可能である。特に、これらの各部がソフトウェアにより構成される際には、当該制御部３の各部（図２参照）の動作が予め規定されたプログラムが設備監視装置１に内蔵されているＣＰＵより読み込まれることにより当該各部が動作可能となる。また、記憶部５は、当該制御部３の動作におけるワークメモリに利用されても良い。
【００４７】
３．第１の実施形態の設備制御システムの動作に関する説明
第１の実施形態の設備制御システム１の動作について、図５を参照して説明する。図５は、第１の実施形態の設備制御システム１を構成する設備監視装置１と設備制御管理装置１１との間における動作を説明するシーケンス図である。
【００４８】
図５において、設備監視装置１の通信部４は、操作部２からの取得要求信号に対応する個別の照明ごとのスケジュールデータ及び当該個別の照明が属するグループのスケジュールデータを取得する旨の取得要求信号を、ネットワークＮＷを介して設備制御管理装置１１に送信する（Ｓ１１）。
【００４９】
設備制御管理装置１１のスケジュール応答部１１ｂは、ステップＳ１１により送信された設備監視装置１からの取得要求信号に応じてデータベース１１ａを参照し（Ｓ１２）、当該個別の設備のスケジュールデータ及び当該個別の設備が属するグループのスケジュールデータをデータベース１１ａからそれぞれ取得する（Ｓ１３）。スケジュール応答部１１ｂは、当該取得された各スケジュールデータを設備監視装置１に送信する（Ｓ１４）。
【００５０】
設備監視装置１の通信部４は、ステップＳ１４により送信された各スケジュールデータを、設備制御管理装置１１からネットワークＮＷを介して受信する。設備監視装置１の統合スケジュール管理部３ｂは、通信部４により出力された各スケジュールデータを取得する。統合スケジュール管理部３ｂは、当該取得された各スケジュールデータに基づいて、当該各スケジュールデータを統合した統合スケジュールデータを生成する（Ｓ１５）。統合スケジュール管理部３ｂは、当該生成された統合スケジュールデータを表示画面生成部３ｃに出力する。
【００５１】
設備監視装置１の表示画面生成部３ｃは、統合スケジュール管理部３ｂにより出力された統合スケジュールデータを取得する。表示画面生成部３ｃは、当該取得された統合スケジュールデータをディスプレイ６に表示するための表示画面を生成する（Ｓ１６）。表示画面生成部３ｃは、当該生成された表示画面を表示制御部３ｅに出力する。
【００５２】
表示制御部３ｅは、表示画面生成部３ｃにより出力された表示画面を取得する。表示制御部３ｅは、当該取得された表示画面をディスプレイ６に表示する様に制御する（Ｓ１７）。
【００５３】
ステップＳ１７の後、操作部２から統合スケジュールデータを編集して更新する旨の入力操作信号が統合スケジュール管理部３ｂに入力された場合（Ｓ１８）、更新通知制御部３ｄは、当該スケジュール管理部３ｂから当該統合スケジュールデータが更新された旨の情報及び当該更新後の統合スケジュールデータを構成するスケジュールデータを取得する。更新通知制御部３ｄは、当該取得された各情報に基づいて、ディスプレイ６に表示されている統合スケジュールデータが更新された旨の信号及び更新後の統合スケジュールデータを構成するスケジュールデータを通信部４に出力する（Ｓ１９）。
【００５４】
通信部４は、ステップＳ１９により出力された情報に基づいて、ディスプレイ６に表示されている統合スケジュールデータが更新された旨の信号及び更新後の統合スケジュールデータを構成するスケジュールデータを、ネットワークＮＷを介して設備制御管理装置１１に送信する（Ｓ２０）。
【００５５】
設備制御管理装置１１のスケジュール応答部１１ｂは、ステップＳ２０により送信された信号及び更新後の統合スケジュールデータを構成するスケジュールデータに基づいて、データベース１１ａを更新する（Ｓ２１）。
【００５６】
４．統合スケジュールデータの表示例に関する説明
次に、ディスプレイに６に表示された統合スケジュールデータの表示例について、図６〜図１０を参照して説明する。図６は、ディスプレイ６に表示された統合スケジュールデータの画面例を示す。同図（ａ）は、テーブル形式で表示された統合スケジュールデータの画面例である。同図（ｂ）は、図形形式で表示された統合スケジュールデータの画面例である。図７は、テーブル形式で表示された統合スケジュールデータと図形形式で表示された統合スケジュールデータとが同時に表示された場合の統合スケジュールデータの画面例である。図８は、テーブル形式で表示された統合スケジュールデータと図形形式で表示された統合スケジュールデータとが同時に表示された場合の全ての照明に対する統合スケジュールデータの画面例における任意の統合スケジュールデータの編集時の画面例である。図９は、テーブル形式で表示された統合スケジュールデータと図形形式で表示された統合スケジュールデータとが同時に表示された場合の全ての照明に対する統合スケジュールデータの画面例における任意の統合スケジュールデータの編集後の画面例である。図１０は、テーブル形式で表示された統合スケジュールデータと図形形式で表示された統合スケジュールデータとが同時に表示された場合の編集後の統合スケジュールデータから選択された所望の照明に対する統合スケジュールデータの画面例である。
【００５７】
図６（ａ）には、個別のアドレス「００−１」に対応するスケジュールデータ（図４のプログラム番号００１、００２参照）と、当該個別のアドレス「００−１」が属するグループ「Ａ０１」（図３（ｂ）参照）に対応するスケジュールデータ（図４のプログラム番号０１０参照）とが統合されたテーブル形式の統合スケジュールデータが表示されている。本発明の設備制御システム１０によれば、従来の設備制御システム５０における個別のアドレスに対応するスケジュールデータ（図１２（ｂ）参照）に比べて、当該個別のアドレスの照明が属するグループに対応するスケジュールデータも統合的に表示することができる。これにより、オフィス、工場又は店舗等における照明のスケジュールデータを確認する際に、ユーザの当該照明のスケジュールデータの確認作業の負担を軽減することができる。
【００５８】
図６（ｂ）には、個別のアドレス「００−１」に対応するスケジュールデータ（図４のプログラム番号００１、００２参照）と、当該個別のアドレス「００−１」が属するグループ「Ａ０１」（図３（ｂ）参照）に対応するスケジュールデータ（図４のプログラム番号０１０参照）とが統合された図形形式の統合スケジュールデータが表示されている。図６（ｂ）において、図４のプログラム番号に対応する開始時刻又は終了時刻は、横軸を時間軸として、開始時刻を示す所定の図形と終了時刻を示す所定の図形と、必要に応じて当該開始時刻から終了時刻までの範囲が塗りつぶされた所定のパターンとで表示されている。これにより、図形形式により統合スケジュールデータがディスプレイ６にユーザに対して直感的に表示されるため、オフィス、工場又は店舗等における照明のスケジュールデータを確認する際に、ユーザの当該照明のスケジュールデータの確認作業の負担をより軽減することができる。
【００５９】
図７には、図６（ａ）及び（ｂ）にそれぞれ示したテーブル形式の統合スケジュールデータと図形形式の統合スケジュールデータとが同時に表示されている。これにより、図６（ａ）又は（ｂ）にそれぞれ示した様なテーブル形式の統合スケジュールデータ又は図形形式の統合スケジュールデータのそれぞれのみをディスプレイ６に表示するよりも、ユーザに対してより直感的で分かりやすい統合スケジュールデータを表示することができる。従って、オフィス、工場又は店舗等における照明のスケジュールデータを確認する際に、ユーザの当該照明のスケジュールデータの確認作業の負担をより軽減することができる。
【００６０】
図８には、設備制御システム１で制御可能な全ての照明１６ａ〜１６ｎに対する全体の統合スケジュールデータの編集時の操作状態の様子が表示されている。設備監視装置１の操作部２の入力操作信号に応じて、当該全体の統合スケジュールデータが編集操作状態になった場合には、各プログラム番号に対応する開始時刻及び終了時刻をそれぞれ示す図形が所定の図形にそれぞれ変更される。
【００６１】
この変更された図形が表示されている間、即ち、統合スケジュールデータの編集時に、当該編集のために選択された図形形式の統合スケジュールデータに対応するテーブル形式の統合スケジュールデータが、他のテーブル形式の統合スケジュールデータと識別可能に、例えば塗りつぶされる等のハイライト表示が行われる。
【００６２】
更に、図８において例えば個別のアドレス「００−１」の終了時刻「１７：３０」を「１８：００」に変更する旨の更新操作が行われた場合には、図９に示す様に、当該個別アドレス「００−１」の終了時刻が「１７：３０」から「１８：００」に変更された統合スケジュールデータがディスプレイ６に表示される。これにより、ディスプレイ６に表示された統合スケジュールデータに対して更新操作が行われた場合には、当該更新操作の対象である統合スケジュールデータをユーザに対して直感的で分かりやすく表示することができると共に、図形形式の統合スケジュールデータを用いて簡易に編集作業を行うことができる。また、この場合、上述した様に、当該更新操作の対象である統合スケジュールデータを構成する個別のスケジュールデータ（プログラム番号００１）の更新後のスケジュールデータは、設備制御管理装置１１のデータベース１１ａに更新される（図５のステップＳ２０及びＳ２１参照）。
【００６３】
図１０では、図８又は図９にて表示された全ての照明１６ａ〜１６ｎに対する統合スケジュールデータのうち例えば図９においてハイパーリンクＨＬの押下に応じて選択された個別のアドレスに対する統合スケジュールデータが表示されている。これにより、全ての照明１６ａ〜１６ｎに対する統合スケジュールデータから個別の統合スケジュールデータを詳細且つ個別に表示することができる。
【００６４】
以上により、第１の実施形態の設備制御システム１０によれば、オフィス、工場又は店舗等における設備の動作予定時刻等を確認する際に、当該設備の個々の動作予定時刻等及び当該設備が属するグループの動作予定時刻等を統合的に提示し、ユーザの当該設備の動作予定時刻等の確認作業の負担を軽減することができる。
【００６５】
以上、添付図面を参照しながら各種の実施形態について説明したが、本発明の設備制御システム１０はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６６】
なお、上述した設備制御システムの制御対象の設備を照明として例示して説明した。しかしながら、当該設備として空調を例示して説明しても同様に本発明を適用することができる。即ち、上述した説明において、「照明」を「空調」と読み替えることにより、空調の動作ＯＮ又は動作ＯＦＦに関する統合スケジュールデータをディスプレイ６に同様に表示することが可能である。
【００６７】
なお、図５のシーケンス図において、ステップＳ１７の後、編集操作が行われない場合には、通信部４は、ステップＳ１７で統合スケジュールデータがディスプレイ６に表示された旨の情報を設備制御管理装置１１に送信しても良い。これにより、ステップＳ１１の入力操作（取得要求情報）に対応する設備監視装置１の動作が終了したことを、設備監視装置１と設備制御管理装置１１との間で共有することができる。
【００６８】
なお、図５のシーケンス図において、ステップＳ２１の後、設備制御管理装置１１は、データベース１１ａの更新が完了した旨の情報を設備監視装置１に送信しても良い。これにより、ステップＳ１８の統合スケジュールデータが編集されて更新された場合におけるデータベース１１ａの更新が完了したことを、設備監視装置１と設備制御管理装置１１との間で共有することができる。
【００６９】
なお、上述した設備制御システムの実施形態におけるスケジュールデータに相当するデータとして、当該設備（実施形態では照明）の動作予定時刻の代わりに、当該設備の実際の動作時刻に置き換えても同様に本発明は成立する。この場合には、設備制御管理装置１１が当該設備の実際の動作時刻のデータを集計し、データベース１１ａに保持する様にすれば良い。
【符号の説明】
【００７０】
１  設備監視装置
２  操作部
３  制御部
３ａ  スケジュール要求部
３ｂ  統合スケジュール管理部
３ｃ  表示画面生成部
３ｄ  更新通知制御部
３ｅ  表示制御部
４  通信部
５  記憶部
６  ディスプレイ
１０  設備制御システム
１１  設備制御管理装置
１４  スイッチ
１５  設備制御装置
１５ａ  伝送ユニット
１５ｂ  ターミナルユニット
１５ｃ  リレー部
１６ａ、１６ｂ、１６ｃ、１６ｇ、１６ｈ、１６ｎ  照明
ＮＷ  ネットワーク
【図１】
2012027551.tif 000003
【図２】
2012027551.tif 000004
【図３】
2012027551.tif 000005
【図４】
2012027551.tif 000006
【図５】
2012027551.tif 000007
【図６】
2012027551.tif 000008
【図７】
2012027551.tif 000009
【図８】
2012027551.tif 000010
【図９】
2012027551.tif 000011
【図１０】
2012027551.tif 000012
【図１１】
2012027551.tif 000013
【図１２】
2012027551.tif 000014